【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
被検体の時系列の造影画像データ、時系列の非造影画像データ、及び前記造影画像データと非造影画像データとの間における時系列の差分画像データの少なくとも１つに基づいて造影剤又は血流に対応する画像信号の強度の時間変化を取得し、前記画像信号の時間変化に基づくカラーの画素値を有するカラー画像データをカラースケールに従って生成する血管画像生成部と、
複数の前記カラー画像データを表示装置に順次表示させる表示処理部と、
を有し、
前記表示処理部は、入力装置から停止の指示が入力されるまで、前記カラー画像データの各画素において、前記カラースケールを色相の変化方向に順次シフトさせるようにループ再生させるように構成される医用画像処理装置。
【請求項２】
前記表示処理部は、前記入力装置から停止の指示が入力されるまで、前記カラー画像データの各画素において、色相の変化の最初の色と最後の色が一致するカラースケールに沿って色が変化するようにループ再生させるように構成される請求項１記載の医用画像処理装置。
【請求項３】
前記表示処理部は、複数の前記カラー画像データのフレーム間において、Ｒ値、Ｇ値及びＢ値のうち少なくとも１つのパラメータを連続的に変化させるように構成される請求項１又は２記載の医用画像処理装置。
【請求項４】
前記表示処理部は、前記カラースケールをシフトさせた前記カラー画像データとして得られる第１の動画と、時系列の前記造影画像データ又は前記差分画像データから成る第２の動画とを並列表示させるように構成される請求項１乃至３のいずれか１項に記載の医用画像処理装置。
【請求項５】
前記表示処理部は、前記第１の動画及び前記第２の動画の一方にアフィン変換を施した場合に、他方にも同期して前記アフィン変換を施すように構成される請求項４記載の医用画像処理装置。
【請求項６】
前記表示処理部は、前記第１の動画の再生速度と、前記第２の動画の再生速度とを互いに独立して調整する再生速度調整部を有する請求項４又は５記載の医用画像処理装置。
【請求項７】
前記表示処理部は、前記カラースケールのシフト量を表示装置に表示させるように構成される請求項１乃至６のいずれか１項に記載の医用画像処理装置。
【請求項８】
前記表示処理部は、始点と終点を同じにして一筆書きすることが可能な図形に対応して移動する点又は前記移動する点と静止した点とを結ぶ線分によって前記カラースケールのシフト量を表示させるように構成される請求項７記載の医用画像処理装置。
【請求項９】
前記図形は円である請求項８記載の医用画像処理装置。
【請求項１０】
前記表示処理部は、前記カラースケールの初期位置を設定する初期スケール設定部を有する請求項１乃至９のいずれか１項に記載の医用画像処理装置。
【請求項１１】
前記表示処理部は、前記カラースケールを初期のカラースケールとするための指示部を有する請求項１乃至１０のいずれか１項に記載の医用画像処理装置。
【請求項１２】
前記表示処理部は、異なる撮影方向に対応する２つの前記カラー画像データが生成された場合に、前記２つのカラー画像データ間において対応する血管の位置を同一のカラーで表示させるための同期処理を伴って、前記２つのカラー画像データをそれぞれ動画として前記表示装置に連続表示させるように構成される請求項１乃至１１のいずれか１項に記載の医用画像処理装置。
【請求項１３】
前記表示処理部は、異なる撮影時期に対応する２つの前記カラー画像データが生成された場合に、前記２つのカラー画像データに対してそれぞれ直接又は間接的に指定された１つの点を同一のカラーで表示させるための同期処理を伴って、前記２つのカラー画像データをそれぞれ動画として前記表示装置に連続表示させるように構成される請求項１乃至１１のいずれか１項に記載の医用画像処理装置。
【請求項１４】
前記表示処理部は、前記２つのカラー画像データに対してそれぞれ直接又は間接的に指定された別の１つの点が更に同一のカラーで表示されるように、前記画像信号の強度が特定の条件となる時間に対して前記カラースケールを相対的にシフト及び伸縮させる処理を前記同期処理として実行するように構成される請求項１３記載の医用画像処理装置。
【請求項１５】
前記表示処理部は、所定の期間における時系列の前記造影画像データ又は前記差分画像データから成る前記第２の動画を再生するように構成される請求項４記載の医用画像処理装置。
【請求項１６】
前記表示処理部は、着目領域において前記造影剤の濃度又は前記画像信号の強度が特定の条件となる時間の最小値と最大値とに基づいて決定された期間における時系列の前記造影画像データ又は前記差分画像データから成る前記第２の動画を再生するように構成される請求項４又は１５記載の医用画像処理装置。
【請求項１７】
前記表示処理部は、前記最小値から第１のマージン時間を減算した時間を開始時間とし、前記最大値に第２のマージン時間を加算した時間を終了時間とする期間における時系列の前記造影画像データ又は前記差分画像データから成る前記第２の動画を再生するように構成される請求項１６記載の医用画像処理装置。
【請求項１８】
前記表示処理部は、前記第１のマージン時間を前記第２のマージン時間よりも長い時間に設定するように構成される請求項１７記載の医用画像処理装置。
【請求項１９】
少なくとも被検体の時系列のＸ線造影画像データを撮影する撮影系と、
前記Ｘ線造影画像データ又は前記Ｘ線造影画像データとＸ線非造影画像データとの間における差分画像データに基づいて造影剤の濃度の時間変化を取得し、前記造影剤の濃度の時間変化に基づくカラーの画素値を有するカラー画像データをカラースケールに従って生成する血管画像生成部と、
複数の前記カラー画像データを表示装置に順次表示させる表示処理部とを有し、
前記表示処理部は、入力装置から停止の指示が入力されるまで、前記カラー画像データの各画素において、前記カラースケールを色相の変化方向に順次シフトさせるようにループ再生させるように構成されるＸ線診断装置。
【手続補正２】
【補正対象書類名】明細書
【補正対象項目名】０００６
【補正方法】変更
【補正の内容】
【０００６】
本発明の実施形態に係る医用画像処理装置は、血管画像生成部と表示処理部とを有する。血管画像生成部は、被検体の時系列の造影画像データ、時系列の非造影画像データ、及び前記造影画像データと非造影画像データとの間における時系列の差分画像データの少なくとも１つに基づいて造影剤又は血流に対応する画像信号の強度の時間変化を取得し、前記画像信号の時間変化に基づくカラーの画素値を有するカラー画像データをカラースケールに従って生成する。表示処理部は、複数の前記カラー画像データを表示装置に順次表示させる。前記表示処理部は、入力装置から停止の指示が入力されるまで、前記カラー画像データの各画素において、前記カラースケールを色相の変化方向に順次シフトさせるようにループ再生させるように構成される。
また、本発明の実施形態に係るＸ線診断装置は、撮影系と血管画像生成部と表示処理部とを有する。撮影系は、少なくとも被検体の時系列のＸ線造影画像データを撮影する。血管画像生成部は、前記Ｘ線造影画像データ又は前記Ｘ線造影画像データとＸ線非造影画像データとの間における差分画像データに基づいて造影剤の濃度の時間変化を取得し、前記造影剤の濃度の時間変化に基づくカラーの画素値を有するカラー画像データをカラースケールに従って生成する。表示処理部は、複数の前記カラー画像データを表示装置に順次表示させる。前記表示処理部は、入力装置から停止の指示が入力されるまで、前記カラー画像データの各画素において、前記カラースケールを色相の変化方向に順次シフトさせるようにループ再生させるように構成される。